(57)【要約】      （修正有）【課題】ユーザーが、自分が好きなキャラクタ、人物、神社仏閣やスポーツなどの団体などを、何時も自分の身近な存在として感じておくことができるメガネ用鼻パッドを提供する。【解決手段】神社、寺院、企業、学校、スポーツ団体、文化団体もしくは公共団体などを示す家紋１ａやシンボルマークなどの図形、キャラクタや人の顔などの絵、イラスト、写真その他の画像１ｂ、又は固有名詞や語句もしくは文章などの文字列が印刷又は刻印の方法で表示されたメガネ用鼻パッド１である。上記の図形、画像又は文字列がその表面等に表示された鼻パッド用シール、鼻パッド用カバー、及び全体がキャラクタ、家紋、シンボルマークなどに模した又は型取った形状を有する鼻パッドである。【選択図】図１
0003191484.tif 000002
【実用新案登録請求の範囲】
【請求項１】
メガネフレームに装着するメガネ用鼻パッドであって、その表面側又は裏面側に、神社、寺院、企業、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、印刷又は刻印の方法で表示されて成ることを特徴とするメガネ用鼻パッド。
【請求項２】
メガネ用の鼻パッドの表面側又は裏面側の一部に貼り付けられる鼻パッド用シールであって、少なくともその一方の面に、神社、寺院、企業、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、表示されて成ることを特徴とする鼻パッド用シール。
【請求項３】
メガネ用の鼻パッドの表面側又は裏面側の全体にそれを覆うように取り付けられる鼻パッド用カバーであって、少なくともその一方の面に、神社、寺院、企業、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、表示されて成ることを特徴とする鼻パッド用シール。
【請求項４】
メガネフレームに装着するメガネ用鼻パッドであって、その全体が、キャラクタや人の顔などの絵、イラスト、写真その他の画像、又は神社、寺院、企業、学校、スポーツ団体、文化団体もしくは公共団体などを示す家紋やシンボルマークなどの図形に模した又は型取った形状を有するように構成されて成ることを特徴とするメガネ用鼻パッド。
【考案の詳細な説明】
【技術分野】
【０００１】
本考案はメガネ用鼻パッド、鼻パッド用シール、及び鼻パッド用カバーの改良に関する。
【背景技術】
【０００２】
従来より、通常のメガネでは、メガネフレームのユーザーの顔の鼻の上方部分と接触する部分（レンズ枠の鼻側部分）にシリコン樹脂などの樹脂製の鼻パッドが装着されている。例えば図６は従来のメガネの一部を示す図である。図６に示すように、メガネフレーム１１中のガラスレンズ１０を保持するレンズ枠１１ａのユーザーの鼻に近い側の部分には、突起状の基部１２が固定されており、この基部１２の先端に樹脂製の鼻パッド１３がネジなどで取り付け固定されている。
【０００３】
このような鼻パッド１３は、メガネのズレ落ち防止、メガネの上下位置調整などメガネの顔に対するフィッティング等のために広く用いられている。また、このような鼻パッド１３は、ユーザーの顔（皮膚）に直接に接触するものであるから、ユーザーに不快感を与えたり金属アレルギー症状を起こさせるなどの不都合がないように、シリコン樹脂などの樹脂材料により形成されている。そして、このような樹脂製の鼻パッド１３は、ユーザーの顔（皮膚）に直接に接触することなどから、一般的に汚れ（緑錆など）が短期間で付着し易いものであるため、眼鏡販売店などでは定期的に新しいものと交換することを推奨しており、鼻パッドだけを販売することも行われている。
【先行技術文献】
【特許文献】
【０００４】
【特許文献１】特開平１１−１６０６５８号公報
【考案の概要】
【考案が解決しようとする課題】
【０００５】
しかしながら、このような従来よりメガネに装着する形で広く利用されている樹脂製の鼻パッドに関しては、前述のように単にメガネの顔に対するフィッティング等を行うためのものとされているだけで、それ以上に積極的な価値や機能を付与させることは従来は全く想定されていなかった。
【０００６】
本考案はこのような従来技術を前提に開発されたものであって、従来よりメガネに関して広く利用されている鼻パッドに対して従来は無かった全く新たな付加価値を付与できるようにしたメガネ用鼻パッド、鼻パッド用シール、及び鼻パッド用カバーを提供することを目的とする。
【課題を解決するための手段】
【０００７】
このような従来技術の課題を解決するための本考案によるメガネ用鼻パッドは、メガネフレームに装着するメガネ用鼻パッドであって、その表面側又は裏面側に、神社、寺院、企業（テレビ放送局、ラジオ放送局などをも含む）、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、印刷又は刻印の方法で表示されて成ることを特徴とするものである。
【０００８】
また、本考案による鼻パッド用シールは、メガネ用鼻パッドの表面側又は裏面側の一部に貼り付けられる鼻パッド用シールであって、少なくともその一方の面に、神社、寺院、企業（テレビ放送局、ラジオ放送局などをも含む）、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、表示されて成ることを特徴とするものである。
【０００９】
また、本考案による鼻パッド用カバーは、メガネ用の鼻パッドの表面側又は裏面側の全体を覆うように取り付けられる鼻パッド用カバーであって、少なくともその一方の面に、神社、寺院、企業（テレビ放送局、ラジオ放送局などをも含む）、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、表示されて成ることを特徴とするものである。
【００１０】
さらに、本考案によるメガネ用鼻パッドは、メガネフレームに装着するメガネ用鼻パッドであって、その全体が、キャラクタや人の顔などの絵、イラスト、写真その他の画像、又は神社、寺院、企業（テレビ放送局、ラジオ放送局などをも含む）、学校、スポーツ団体、文化団体もしくは公共団体などを示す家紋やシンボルマークなどの図形に模した又は型取った形状を有するように構成されて成ることを特徴とするものである。
【考案の効果】
【００１１】
以上のように、本考案によるメガネ用鼻パッドにおいては、ユーザーが何時も身に付けて自らに接触させている鼻パッドに、ユーザーが好きなキャラクタの絵、ユーザーが好きな人物の顔の画像（写真や絵やイラストなど）、ユーザーが好きなスポーツ団体などの団体のシンボルマーク、ユーザーが好きな団体や人物の固有名詞、ユーザーが好きな詩のフレーズなどの文字列などを、印刷や刻印などの方法で表示させておくことができる。よって、本考案による鼻パッドによれば、ユーザーは、その鼻パッドを装着したメガネを掛けるだけで、自分が好きなキャラクタ、自分が好きな人物、自分が好きな神社仏閣やスポーツなどの団体、自分が好きな詩のフレーズなどを、何時も自分の身近な存在として感じておくことができるようになり、そのような新たな付加価値をメガネ用鼻パッドに付与することができるようになる。
【００１２】
また、本考案による鼻パッド用シールにおいては、ユーザーが何時も身に付けて自らに接触させている鼻パッドに貼り付けるシールに、ユーザーが好きなキャラクタの絵、ユーザーが好きな人物の顔の画像（写真や絵やイラストなど）、ユーザーが好きなスポーツ団体などの団体のシンボルマーク、ユーザーが好きな団体や人物の固有名詞、ユーザーが好きな詩のフレーズなどの文字列などが、印刷などの方法で表示されている。よって、本考案による鼻パッド用シールによれば、ユーザーは、そのシールを鼻パッドの任意の位置（中央部など）に貼り付けるだけで、自分が好きなキャラクタ、自分が好きな人物、自分が好きな神社仏閣やスポーツなどの団体、自分が好きな詩のフレーズなどを、何時も自分の身近な存在として感じておくことができるようになり、そのような新たな付加価値を鼻パッド用シールに付与することができるようになる。
【００１３】
また、本考案による鼻パッド用カバーにおいては、ユーザーが何時も身に付けて自らに接触させている鼻パッドにそれを覆うように取り付けるカバーに、ユーザーが好きなキャラクタの絵、ユーザーが好きな人物の顔の画像（写真や絵やイラストなど）、ユーザーが好きなスポーツ団体などの団体のシンボルマーク、ユーザーが好きな団体や人物の固有名詞、ユーザーが好きな詩のフレーズなどの文字列などが、印刷などの方法で表示されている。よって、本考案による鼻パッド用カバーによれば、ユーザーは、そのカバーを鼻パッドの表面側又は裏面側に貼付などの方法で覆うように取り付けるだけで、自分が好きなキャラクタ、自分が好きな人物、自分が好きな神社仏閣やスポーツなどの団体、自分が好きな詩のフレーズなどを、何時も自分の身近な存在として感じておくことができるようになり、そのような新たな付加価値を鼻パッド用カバーに付与することができるようになる。
【００１４】
さらに、本考案によるメガネ用鼻パッドにおいては、ユーザーが何時も身に付けて自らに接触させている鼻パッドを、その全体が、キャラクタや人の顔などの絵、イラスト、写真その他の画像、又は神社、寺院、企業、学校、スポーツ団体、文化団体もしくは公共団体などを示す家紋やシンボルマークなどの図形に模した又は型取った形状を有するように構成している。よって、本考案による鼻パッドによれば、ユーザーは、その鼻パッドを備えたメガネを掛けるだけで、自分が好きなキャラクタ、自分が好きな人物、自分が好きな神社仏閣やスポーツなどの団体などを、何時も自分の身近な存在として感じておくことができるようになり、そのような新たな付加価値をメガネ用鼻パッドに付与することができるようになる。
【図面の簡単な説明】
【００１５】
【図１】本考案の実施例１による鼻パッドを説明するための図である。
【図２】本考案の実施例２による鼻パッド用シールを説明するための図である。
【図３】本考案の実施例３による鼻パッド用カバーを説明するための図である。
【図４】本考案の実施例４による鼻パッドを説明するための図である。
【図５】本考案の実施例５による鼻パッドを説明するための図である。
【図６】従来のメガネ及びメガネ用鼻パッドを説明するための図である。
【考案を実施するための形態】
【００１６】
以下に本考案を実施するための最良の形態及びその各実施例について図面を参照して詳細に説明する。
【実施例１】
【００１７】
図１は本考案の実施例１に係る鼻パッドを示す図である。本実施例１では、図１（ａ）に示すように、樹脂製の鼻パッド１の表面に神社などの家紋１ａが印刷又は刻印などの方法で表示されている。また、図１（ｂ）に示す例では、樹脂製の鼻パッド１の表面に桜の花弁の絵やイラストなどの画像１ｂが印刷又は刻印などの方法で表示されている。
【００１８】
このように、本実施例１によるメガネ用鼻パッド１においては、ユーザーが好きな神社などの家紋１ａ、ユーザーが好きな桜の花弁の絵やイラストなどの画像１ｂが印刷又は刻印などの方法で表示されている。よって、本実施例１に係る鼻パッドを使用するときは、ユーザーは、前記鼻パッド１を装着したメガネを掛けるだけで、自分が好きな神社や桜の花を、何時も自分の身近な存在として感じておくことができるようになり、そのような新たな付加価値をメガネ用鼻パッド１に付与できるようになる。
【実施例２】
【００１９】
次に図２は本考案の実施例２に係る鼻パッド用シールを示す図である。本実施例２では、図２（ａ）に示すように、樹脂製の鼻パッド用シール２の表面に神社などの家紋２ａが印刷などの方法で表示されている。また、図２（ｂ）に示す例では、樹脂製の鼻パッド用シール２の表面に桜の花弁の絵やイラストなどの画像２ｂが印刷などの方法で表示されている。また、前記鼻パッド用シール２の裏面には、この鼻パッド用シール２を鼻パッドの表面の一部に貼り付けるための粘着面（図示省略）が形成されている。
【００２０】
このように、本実施例２によるメガネ用鼻パッド用シール２においては、ユーザーが好きな神社などの家紋２ａ、ユーザーが好きな桜の花弁の絵やイラストなどの画像２ｂが印刷などの方法で表示されている。また、前述のように、前記鼻パッド用シール２の裏面には粘着面（図示省略）が形成されている。よって、本実施例２に係る鼻パッド用シール２を使用するときは、ユーザーは、前記鼻パッド用シール２を鼻パッドの表面（又は裏面）の一部（例えば中央部など）に貼り付けて、そのような鼻パッドを備えたメガネを掛けるだけで、自分が好きな神社や桜の花を、何時も自分の身近な存在として感じておくことができるようになり、そのような新たな付加価値を鼻パッド用シール２に付与できるようになる。
【実施例３】
【００２１】
次に図３は本考案の実施例３に係る鼻パッド用カバーを示す図である。本実施例３では、図３（ａ）に示すように、樹脂製の鼻パッド用カバー３の表面に神社などの家紋３ａが印刷などの方法で表示されている。また、図３（ｂ）に示す例では、樹脂製の鼻パッド用カバー３の表面に桜の花弁の絵やイラストなどの画像３ｂが印刷などの方法で表示されている。また、前記鼻パッド用カバー３の裏面には、この鼻パッド用カバー３を鼻パッドの表面の全体に覆うように取り付けるための手段として例えば粘着面（図示省略）が形成されている。
【００２２】
このように、本実施例３による鼻パッド用カバー３においては、ユーザーが好きな神社などの家紋３ａ、ユーザーが好きな桜の花弁の絵やイラストなどの画像３ｂが印刷などの方法で表示されている。また、前述のように、前記鼻パッド用カバー３の裏面には粘着面（図示省略）が形成されている。よって、本実施例３に係る鼻パッド用カバーを使用するときは、ユーザーは、前記鼻パッド用カバー３を鼻パッドの表面（又は裏面）の全体を覆うように取り付けて、そのような鼻パッドを備えたメガネを掛けるだけで、自分が好きな神社や桜の花を、何時も自分の身近な存在として感じておくことができるようになり、そのような新たな付加価値を鼻パッド用カバー３に付与できるようになる。
【実施例４】
【００２３】
次に図４は本考案の実施例４に係る鼻パッドを示す図である。本実施例４では、図４に示すように、樹脂製の鼻パッド４の全体形状が、神社などの家紋４ａの形状を模した又は型取った形状となるように構成されている。本実施例４に係る鼻パッド４の基本的構成は、上記の全体形状以外については従来の鼻パッドと同様である。
【００２４】
このように、本実施例４によるメガネ用鼻パッド４においては、ユーザーが好きな神社などの家紋４ａを模した又は型取った形状を有するように構成されている。よって、本実施例４に係る鼻パッド４を使用するときは、ユーザーは、前記鼻パッド４を備えたメガネを掛けるだけで、自分が好きな神社を、何時も自分の身近な存在として感じておくことができるようになり、そのような新たな付加価値をメガネ用鼻パッド４に付与できるようになる。
【実施例５】
【００２５】
図５は本考案の実施例５に係る鼻パッド５を示す図である。本実施例５では、図５に示すように、樹脂製の鼻パッド５の全体形状が、キャラクタ５ａの形状を模した又は型取った形状となるように構成されている。本実施例５に係る鼻パッド５の基本的構成は、上記の全体形状以外については従来の鼻パッドと同様である。
【００２６】
このように、本実施例５によるメガネ用鼻パッド５においては、ユーザーが好きなキャラクタ５ａを模した又は型取った形状を有するように構成されている。よって、本実施例５に係る鼻パッド５を使用するときは、ユーザーは、前記鼻パッド５を備えたメガネを掛けるだけで、自分が好きなキャラクタを、何時も自分の身近な存在として感じておくことができるようになり、そのような新たな付加価値をメガネ用鼻パッド５に付与できるようになる。
【００２７】
以上、本考案の各実施例について説明したが、本考案及び本考案を構成する各構成要件は、それぞれ、前記の各実施例及び前記の各実施例を構成する各要素として述べたものに限定されるものではなく、様々な修正及び変更が可能であり、本考案は、添付の実用新案登録請求の範囲及びその均等物の範囲内にある修正及び変形を含むものである。例えば前記各実施例１〜５においては、単に神社の家紋、桜の花弁の画像、キャラクタなどの画像を表示した鼻パッド１、鼻パッドシール２及び鼻パッドカバー３並びにそれらの形状を型取った鼻パッド４，５を示したが、本考案ではこれらに限定されるものではなく、他の寺院、企業、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が表示された鼻パッド、鼻パッドシール及び鼻パッドカバーであってもよいこと、及び他の寺院、企業、学校、スポーツ団体、文化団体もしくは公共団体などを示す家紋やシンボルマークなどの図形、キャラクタや人の顔などの絵、イラスト、写真その他の画像を模した又は型取った鼻パッドでもよいことはもちろんである。
【符号の説明】
【００２８】
１，４，５    メガネ用鼻パッド
１ａ，２ａ，３ａ，４ａ       家紋
１ｂ，２ｂ，３ｂ     桜の花弁の画像
２     鼻パッド用シール
３     鼻パッド用カバー
５ａ   キャラクタ
【図１】
0003191484.tif 000003
【図２】
0003191484.tif 000004
【図３】
0003191484.tif 000005
【図４】
0003191484.tif 000006
【図５】
0003191484.tif 000007
【図６】
0003191484.tif 000008
【手続補正書】
【提出日】平成26年4月17日(2014.4.17)
【手続補正１】
【補正対象書類名】実用新案登録請求の範囲
【補正対象項目名】全文
【補正方法】変更
【補正の内容】
【実用新案登録請求の範囲】
【請求項１】
メガネフレームに装着するメガネ用鼻パッドであって、その表面側又は裏面側に、神社、寺院、企業、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、印刷又は刻印の方法で表示されて成ることを特徴とするメガネ用鼻パッド。
【請求項２】
メガネ用の鼻パッドの表面側又は裏面側の一部に貼り付けられる鼻パッド用シールであって、少なくともその一方の面に、神社、寺院、企業、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、表示されて成ることを特徴とする鼻パッド用シール。
【請求項３】
メガネ用の鼻パッドの表面側又は裏面側の全体にそれを覆うように取り付けられる鼻パッド用カバーであって、少なくともその一方の面に、神社、寺院、企業、学校、スポーツ団体、文化団体もしくは公共団体などを示す家紋やシンボルマークなどの図形、キャラクタや人の顔などの絵、イラスト、写真その他の画像、又は固有名詞や語句もしくは文章などの文字列が、表示されて成ることを特徴とする鼻パッド用カバー。
【請求項４】
メガネフレームに装着するメガネ用鼻パッドであって、その全体が、キャラクタや人の顔などの絵、イラスト、写真その他の画像、又は神社、寺院、企業、学校、スポーツ団体、文化団体もしくは公共団体などを示す家紋やシンボルマークなどの図形に模した又は型取った形状を有するように構成されて成ることを特徴とするメガネ用鼻パッド。